(57)【要約】【課題】  人の首筋、肩等個所にまとい掛け、それによって中または低周波の電気刺激マッサージ効果が得られるまとい掛け式電気刺激マッサージバンドを提供する。【解決手段】  マッサージバンド１とコントローラ２を組合せて使用する。マッサージバンド１は導電材により長い幅広いバンドを成形する。そのバンド本体は導電性を有するため単一極性の導電エリア１１を形成することが可能であり、かつ導電ボタン１２と結合する。導電ボタン１２は接続線によってコントローラ２に連結され、バンド本体の両端にはそれぞれ絶縁の重り袋１３が設けられる。使用時は二つ対になるマッサージバンド１をそれぞれ人体の肩に掛ける。または首筋にまとい掛ける。コントローラが始動するとマッサージバンド１の両導電エリア１１は回路を構成し、導電エリアと人体の首筋や肩個所には電気刺激マッサージ効果を発生することが可能である。【選択図】    図１
2005245910.tif 000002
【特許請求の範囲】
【請求項１】
まとい掛け式電気刺激マッサージバンドであって、
長い幅広いバンドであり、
単一極性または同時に正、負両極性を備える導電エリアを有し、導電エリアには導電ボタンが連結され、バンド本体の両端にはそれぞれ重り袋が設けられ、その導電ボタンはコントローラに連結されて電気刺激マッサージの効果を発生可能であることを特徴とするまとい掛け式電気刺激マッサージバンド。
【請求項２】
各導電エリア間には絶縁材が設けられていることを特徴とする請求項１記載のまとい掛け式電気刺激マッサージバンド。
【請求項３】
導電エリアには柔らかいシート層が設置されていることを特徴とする請求項１記載のまとい掛け式電気刺激マッサージバンド。
【請求項４】
重り袋内には砂利、液体または固体等物質の充填物が充填されていることを特徴とする請求項１記載のまとい掛け式電気刺激マッサージバンド。
【請求項５】
まとい掛け式電気刺激マッサージバンドであって、
長い幅広いバンドであり、
単一極性または同時に正、負両極性を備える導電エリアを有し、導電エリアには導電ボタンが連結され、バンド本体の両端にはそれぞれゴムバンドが連結され、ゴムバンドの末端には取り付け金具が結合され、導電ボタンはコントローラに連結されて電気刺激マッサージの効果を発生可能であることを特徴とするまとい掛け式電気刺激マッサージバンド。
【請求項６】
導電エリアと導電ボタンの間には一組または一組以上の接続導線が設けられていることを特徴とする請求項５記載のまとい掛け式電気刺激マッサージバンド。
【請求項７】
導電エリアは接続導線の他端に予め設けられた導電ボタンに取り付け結合されることを特徴とする請求項５記載のまとい掛け式電気刺激マッサージバンド。
【請求項８】
まとい掛け式電気刺激マッサージバンドであって、
長い幅広いバンドであり、
単一極性または同時に正、負両極性を備える導電エリアを有し、導電エリアには導電ボタンが連結され、バンド本体の両端にはそれぞれ相対した粘着部材が連結され、粘着部材が連結されて環の形態のマッサージバンドに構成され、導電ボタンはコントローラに連結されて電気刺激マッサージの効果を発生可能であることを特徴とするまとい掛け式電気刺激マッサージバンド。
【請求項９】
それぞれ一本または一本以上のゴムバンドに連結され、更に粘着部材に連結されることを特徴とする請求項８記載のまとい掛け式電気刺激マッサージバンド。
【請求項１０】
各導電エリア間には絶縁材が設けられていることを特徴とする請求項８記載のまとい掛け式電気刺激マッサージバンド。
【請求項１１】
導電エリアと導電ボタンの間には一組または一組以上の接続導線が設けられていることを特徴とする請求項８記載のまとい掛け式電気刺激マッサージバンド。
【請求項１２】
導電エリアには柔らかいシート層が設置されていることを特徴とする請求項８記載のまとい掛け式電気刺激マッサージバンド。
【請求項１３】
コントローラ内には中枢ＩＣが設けられ、ＩＣによってパルスの波型を輸送し、インダクタンス及びキャパシタンスの充放電に高圧が発生し、かつプログラムをもってパルス幅を制御し、強、弱程度の違う中周波電波または低周波電波の電気刺激マッサージが発生することを特徴とする請求項１記載のまとい掛け式電気刺激マッサージバンド。
【請求項１４】
コントローラのパルス幅は１ＨＺ〜１５０ＨＺの間であることを特徴とする請求項１３記載のまとい掛け式電気刺激マッサージバンド。
【請求項１５】
コントローラはパルス高圧を提供し、それぞれ複数個の導電ボタンへ引き継がれて出力端を構成することを特徴とする請求項１３記載のまとい掛け式電気刺激マッサージバンド。
【請求項１６】
コントローラ内には中枢ＩＣが設けられ、ＩＣによってパルスの波型を輸送し、インダクタンス及びキャパシタンスの充放電に高圧が発生し、かつプログラムをもってパルス幅を制御し、強、弱程度の違う中周波電波または低周波電波の電気刺激マッサージが発生することを特徴とする請求項５記載のまとい掛け式電気刺激マッサージバンド。
【請求項１７】
コントローラのパルス幅は１ＨＺ〜１５０ＨＺの間であることを特徴とする請求項１６記載のまとい掛け式電気刺激マッサージバンド。
【請求項１８】
コントローラはパルス高圧を提供し、それぞれ複数個の導電ボタンへ引き継がれて出力端を構成することを特徴とする請求項１６記載のまとい掛け式電気刺激マッサージバンド。
【発明の詳細な説明】
【技術分野】
【０００１】
本発明は、電気刺激マッサージバンドに関するもので、特にそのマッサージバンドは人の首筋、肩等個所にまとい掛け、それによって中または低周波の電気刺激マッサージ効果を提供するものに関する。
【背景技術】
【０００２】
事務をする人、車を運転する人またはコンピュータを長期間に使用する人は長時間、固定した姿勢を維持するため、首筋、肩等個所の硬直や痛みを感じやすくなる。現在周知の低周波健康補助器の多くはシリコンゴムの電極片を採用して首筋、肩等個所に貼り付け、更にコントローラの操作と合わしてマッサージの効果を発生するものである。
【発明の開示】
【発明が解決しようとする課題】
【０００３】
本発明の目的は、人の首筋、肩等個所にまとい掛け、それによって中または低周波の電気刺激マッサージ効果が得られるまとい掛け式電気刺激マッサージバンドを提供することにある。
【課題を解決するための手段】
【０００４】
上述の目的を達成するために本発明の請求項に記載のまとい掛け式電気刺激マッサージバンドは、コントローラと組合せて使用される。特にそのバンド状のマッサージバンドには選定された長さがあり、かつ導電材をもって単一極性または同時に正、負両極性のある導電エリア及び導電ボタンが設置される。そのマッサージバンドの両端にはそれぞれ重り袋または取り付け金具または粘着部材が設けられて人の首筋、肩等個所にまとい掛けることが可能である。導電エリアは人体のつぼに接触して中または低周波の電気刺激マッサージの効果が発生する。
【発明を実施するための最良の形態】
【０００５】
以下、本発明の実施例を図面に基づいて説明する。
図１及び図２に示すように、本発明の実施例によるまとい掛け式電気刺激マッサージバンドの設計はマッサージバンド１とコントローラ２を組合せて使用し、マッサージバンド１によって電気刺激マッサージの効果を発生するものである。
【０００６】
マッサージバンド１、それは導電材（たとえば導電ガーゼ）により長い幅広いバンドを成形する。そのバンド本体は導電性を有するため単一極性の導電エリア１１を形成することが可能であり、かつ導電ボタン１２と結合する。導電ボタン１２は接続線２１によってコントローラ２に連結され、バンド本体の両端にはそれぞれ絶縁の重り袋１３が設けられる。使用時は図３に示すように、二つ対になるマッサージバンド１をそれぞれ人体の肩に掛ける。または図４に示すように首筋にまとい掛ける。コントローラが始動するとマッサージバンド１の両導電エリア１１は回路を構成し、導電エリアと人体の首筋や肩個所には電気刺激マッサージ効果を発生することが可能である。
【０００７】
図５または図６に示すように本発明の別の実施例では、そのマッサージバンド１ａは同時に正、負両極性を備える二つの導電エリア１１ａ、導電エリア１１ｂに実施され流ことも可能である。各極性の導電エリア１１ａ、導電エリア１１ｂにはそれぞれ一つの導電ボタン１２ａ、導電ボタン１２ｂが設けられ、極性の違う二つの導電エリア１１ａ、導電エリア１１ｂの間には絶縁材１４が設けられている。使用時は同じく両端の重り袋１３を利用してマッサージバンド１ａを人体の肩、首筋またはその他個所にまとい掛ける。コントローラ２と組合せて接続し、コントローラ２が始動通電されると一つのマッサージバンド１ａによって中または低周波の電気刺激マッサージ効果を発生することが可能である。上記正、負両極性の二つの導電エリア１１ａ、導電エリア１１ｂの形状、大きさは任意に変えることが可能で、それには制限がない。
【０００８】
図７及び図８に示すように、上記極性導電エリア１１（または１１ａ、１１ｂ）には柔らかいシート層１１１（または１１１ａ、１１１ｂ）を設置することも可能である。それの内部には図７に示すように液体充填物、または図８に示すように粒子状固体充填物、または軟質綿シートのようなその他充填物を充填する。マッサージバンド１または１ａが垂れ下がって人体の肩、首筋またはその他選定された個所に貼り付けた場合、柔らかいシート層１１１（または１１１ａ、１１１ｂ）の貼り付けは変形して心地のいい効果が得られ、かつ良好な接触を確保することが可能である。
【０００９】
上記マッサージバンド１または１ａの両端に設けられてある重り袋１３は原則的に絶縁性のものであるが、必要な場合には導電性を有するものにより実施される。その重り袋１３は適当な重さがあればよく、たとえば袋内に如何なる砂利、液体または固体の充填物を充填して重りにすることが可能である。使用時はその重さによって人体の肩、首筋から垂れ下がり、はき心地のよい効果が得られる。
【００１０】
図１及び図２に示すように、上記コントローラ２内には中枢IＣが設けられ、IＣによってパルスの波型を輸送し、インダクタンス及びキャパシタンスの充放電高圧が発生する。プログラムをもってパルス幅（約１ＨＺ〜１５０ＨＺ）を制御し、強、弱程度の違う中周波電波または低周波電波の電気刺激マッサージ感覚が発生する。その電気刺激コントローラ２には複数個のコントロールボタン２２があり、それぞれ電流の増強（ｕｐ）または減少（ｄｏｗｎ）、制御時間の設定、電源の開閉（ｏｎ／ｏｆｆ）及びマッサージモードの選択等に使用され、液晶ディスプレイ２３に操作制御のモードを表す。内部回路を経てパルス高圧を提供し、それぞれ複数個の導電取り付けボタン２４へ引き継がれて出力端を構成し、各導電取り付けボタン２４は導電線２１によってマッサージバンド１または１ａの導電ボタン１２に接続されて導通回路を構成する。
【００１１】
本考案の実施例の設計により、マッサージバンド１または１ａ両端の重り袋１３の目的は導電エリア１１、導電エリア１１ａ、導電エリア１１ｂと人体の皮膚が心地よく接触することを増進することで、同じ効果に基づき、前記重り袋１３はその他類似または同効果の部材をもって入れ替わることが可能である。たとえば図９から図１２に示すように、そのマッサージバンド１ｃの両端にはそれぞれゴムバンド３が連結され、ゴムバンド３の末端にはともに取り付け金具４及び導電ボタン１２ａ（または１２ｂ）が結合される。そのマッサージバンド１ｃにも同じく単一極性または正、負両極性の導電エリア１１ａ、導電エリア１１ｂが設けられ、導電エリア１１ａ、導電エリア１１ｂと前記導電ボタン１２ａ（または１２ｂ）の間には接続導線１５が設けられ、接続導線１５他端の導電ボタン１２ａ（１２ｂ）は導接線２１によってコントローラ２に接続される。
【００１２】
上記マッサージバンド１ｃの導電エリア１１ａ、導電エリア１１ｂは図９に示すようにマッサージバンド１ｃに縫い付けられ、または図１０に示すように、導電エリア１１ａ、導電エリア１１ｂは接続導線１５に予め残された導電ボタン１６ａ、導電ボタン１６ｂに取り付け結合することも可能である。また図１３に示すようにゴムバンド３の末端に付けられる取り付け金具４はズボンの上縁に取り付けることに供され、マッサージバンド１ｃは取り付け金具４によって人体の首筋、肩等個所に貼り付けるようにする。それと同じく、取り付け金具はその他粘着部材によって入れ替えることが可能である。
【００１３】
上記マッサージバンド１ｃは同時に二組（または二組以上）の正、負両極性の導電エリア１１ａ、導電エリア１１ｂを設けることも可能である。図１４の実施例に示すように、ゴムバンド３に二組（または二組以上）の接続導線１５を設置し、それをもってそれぞれ導電エリア及び導電ボタン１２ａ、導電ボタン１２ｂに接続し、並びに両導電ボタン１２ａ、導電ボタン１２ｂによって直接コントローラ２に接続される。
【００１４】
また、本考案の実施例の設計により、マッサージバンドの両端にはそれぞれ相対する粘着部材を設けて環の形態に実施することも可能である。図１５及び図１６に示すように、そのマッサージバンド１ｄの両端には相対するマジックテープ５１、マジックテープ５２が設置される。バンド自体は同じく同等効果に実施された導電エリア１１ａ、導電エリア１１ｂ、導電ボタン１２ａ、導電ボタン１２ｂ、絶縁材１４、接続導線１５及びゴムバンド３を有する。マジックテープ５１、マジックテープ５２を粘着接合することで環の形態のマッサージバンド１ｄに構成される。図１７に示すように人体の肩と腰の間にまとい掛けることに極めて適している。また図１８に示すようにマッサージバンド１ｄをやや小さな環のサイズにして人の首に掛けることで、導電エリアは人体のつぼに貼り付け接触し、電気刺激マッサージの効果を得ることが可能である。
【００１５】
本発明の主要目的はまとい掛け式電気刺激マッサージバンドの設計を提供するもので、そのマッサージバンドは帯状に表れ、かつ導電材をもって単一極性または正、負両極性を備える導電エリア及び導電ボタンが設置されてコントローラと合わせて使用することに供される。マッサージバンドの両端にはそれぞれ重り袋または取り付け金具またはマジックテープが設けられて人体の首筋、肩等個所にまとい掛けることが可能である。それによってマッサージバンドはしっかり垂れ下がり、または人体の首筋や肩等個所に貼り付け接触し、導電エリアは完全に人体のつぼに接触して電気刺激マッサージの効果を発生することが可能で、かつ使用が便利で使い心地のいい利点がある。
【図面の簡単な説明】
【００１６】
【図１】本発明のまとい掛け式電気刺激マッサージバンドが単一極性の導電エリアのマッサージバンドに実施された状態を示す立体図である。
【図２】本発明の実施例によるまとい掛け式電気刺激マッサージバンドがコントローラと組合され使用された状態を示す組み合わせ立体図である。
【図３】本発明の実施例によるまとい掛け式電気刺激マッサージバンドが人体の肩に使用された状態を示す図である。
【図４】本発明の実施例によるまとい掛け式電気刺激マッサージバンドが首筋に使用された状態を示す図である。
【図５】本発明のまとい掛け式電気刺激マッサージバンドが二つの導電エリアを有するマッサージバンドに実施された状態を示す立体図である。
【図６】本発明のまとい掛け式電気刺激マッサージバンドが別の二つの導電エリアを有するマッサージバンドに実施された状態を示す立体図である。
【図７】本発明のまとい掛け式電気刺激マッサージバンドの導電エリアに液体充填シート層が設けられている実施例を示す断面図である。
【図８】本発明のまとい掛け式電気刺激マッサージバンドの導電エリアに粒子充填シート層が設けられている実施例を示す断面図である。
【図９】本発明の両端にそれぞれゴムバンドが連結されている別のマッサージバンド形態を示す実施例図である。
【図１０】本発明の両端にそれぞれゴムバンドが連結されている別のマッサージバンド形態を示す実施例図である。
【図１１】本発明の両端にそれぞれゴムバンドが連結されている別のマッサージバンド形態を示す実施例図である。
【図１２】本発明の両端にそれぞれゴムバンドが連結されている別のマッサージバンド形態を示す実施例図である。
【図１３】本発明の実施例によるまとい掛け式電気刺激マッサージバンドを取り付け金具によってズボンの上縁に取り付けた使用状態を示す図である。
【図１４】本発明のまとい掛け式電気刺激マッサージバンドのゴムバンドに二組の接続導線が設けられている状態を示す実施例図である。
【図１５】本発明のまとい掛け式電気刺激マッサージバンドがマジックテープと合わされて環状に形成された別のマッサージバンド形態を示す実施例図である。
【図１６】本発明のまとい掛け式電気刺激マッサージバンドがマジックテープと合わされて環状に形成された別のマッサージバンド形態を示す実施例図である。
【図１７】本発明のまとい掛け式電気刺激マッサージバンドが環状の形態に実施されて人体の肩と腰の間にまとい掛けされた使用状態を示す図である。
【図１８】本発明のまとい掛け式電気刺激マッサージバンドがやや小さい環状の形態に実施されて人の首筋に取り付けられた使用状態を示す図である。
【符号の説明】
【００１７】
１  マッサージバンド、１ａ  マッサージバンド、１ｃ  マッサージバンド、１ｄ  マッサージバンド、２  コントローラ、３  ゴムバンド、４  取り付け金具、１１  導電エリア、１１ａ  導電エリア、１１ｂ  導電エリア、１２  導電ボタン、１２ａ  導電ボタン、１２ｂ  導電ボタン、１３  重り袋、１４  絶縁材、１５  接続導線、１６ａ  導電ボタン、１６ｂ  導電ボタン、２１  導接線、２２  コントロールキー、２３  液晶ディスプレイ、２４  導電取り付けボタン、５１  マジックテープ、５２  マジックテープ、１１１  柔らかいシート層、１１１ａ  柔らかいシート層、１１１ｂ  柔らかいシート層
【図１】
2005245910.tif 000003
【図２】
2005245910.tif 000004
【図３】
2005245910.tif 000005
【図４】
2005245910.tif 000006
【図５】
2005245910.tif 000007
【図６】
2005245910.tif 000008
【図７】
2005245910.tif 000009
【図８】
2005245910.tif 000010
【図９】
2005245910.tif 000011
【図１０】
2005245910.tif 000012
【図１１】
2005245910.tif 000013
【図１２】
2005245910.tif 000014
【図１３】
2005245910.tif 000015
【図１４】
2005245910.tif 000016
【図１５】
2005245910.tif 000017
【図１６】
2005245910.tif 000018
【図１７】
2005245910.tif 000019
【図１８】
2005245910.tif 000020